(57)【要約】【課題】付加サービスサーバ装置に呼情報の誤った更新を発生させないパケット通信システムを提供する。【解決手段】パケット通信システム１０では、所定の異常が検出された場合に、呼制御部２４がＷＰＣＧ２０ａに接続しているＭＳ１２との呼を強制解放し、ＳＡＳ３０にＭＳ１２を特定するための移動通信端末情報、自装置を特定するためのパケット交換サーバ装置識別情報、呼が解放された旨及びその通知が遅れる可能性がある旨を示す遅延切断情報を含む呼状態通知が、送信部２６からＳＡＳ３０に送信される。ＳＡＳ３０では、呼状態通知に含まれる移動通信端末情報に対応付けて格納部３０に格納されたパケット交換サーバ装置識別情報と、呼状態通知に含まれるパケット交換サーバ装置識別情報とが同一の場合のみ、上記の移動通信端末情報に対応付けて格納部３０に格納されている呼情報を「切断状態」に書き換える。【選択図】  図１
2005026838.tif 000002
【特許請求の範囲】
【請求項１】
移動通信網とパケット通信網との間に介在し、前記移動通信網に接続する移動通信端末による通信を中継するパケット交換サーバ装置であって、
自装置に至る通信路及び自装置で発生した所定の異常を検出する異常検出手段と、
前記異常検出手段によって前記所定の異常が検出された場合に、前記移動通信端末と自装置との呼を解放する解放手段と、
前記異常検出手段によって前記所定の異常が検出されたときに自装置に接続していた前記移動通信端末を特定するための移動通信端末識別情報と、自装置を特定するためのパケット交換サーバ装置識別情報と、前記移動通信端末と自装置との呼が解放された旨及び該解放された旨の通知が遅延する可能性がある旨を示す遅延切断情報とを含む呼状態通知を、所定の付加情報を配信または取得する付加サービスサーバ装置に送信する送信手段と
を備えることを特徴とするパケット交換サーバ装置。
【請求項２】
前記送信手段は、前記異常検出手段によって前記所定の異常が検出されたときに、前記呼状態通知の単位時間あたりの送信数を所定数以下に制御することを特徴とする請求項１に記載のパケット交換サーバ装置。
【請求項３】
移動通信端末を特定するための移動通信端末識別情報と、該移動通信端末が呼接続しているパケット交換サーバ装置を特定するためのパケット交換サーバ装置識別情報と、該移動通信端末と該パケット交換サーバ装置との呼の状態に関し、接続状態又は切断状態を示す呼情報とが対応付けて格納される格納手段と、
パケット交換サーバ装置によって所定の異常が検出されたときに、該パケット交換サーバ装置に接続していた移動通信端末を特定するための移動通信端末識別情報と、該パケット交換サーバ装置を特定するためのパケット交換サーバ装置識別情報と、該移動通信端末と該パケット交換サーバ装置との呼が解放された旨及び該解放された旨の通知が遅延する可能性がある旨を示す遅延切断情報とを含み、該パケット交換サーバ装置によって送信される呼状態通知を受信する受信手段と、
前記受信手段によって受信された前記呼状態通知に含まれる前記移動通信端末識別情報に対応付けて前記格納手段に格納されているパケット交換サーバ装置識別情報と、前記呼状態通知に含まれるパケット交換サーバ装置識別情報とが同一の場合に、該移動通信端末識別情報に対応付けて前記格納手段に格納されている呼情報を切断状態に書き換え、前記呼状態通知に含まれる前記移動通信端末識別情報に対応付けて前記格納手段に格納されているパケット交換サーバ装置識別情報と、前記呼状態通知に含まれるパケット交換サーバ装置識別情報とが異なる場合に、該移動通信端末識別情報に対応付けて前記格納手段に格納されている呼情報を維持する更新手段と
を備える付加サービスサーバ装置。
【請求項４】
移動通信網とパケット通信網との間に介在し、移動通信網に接続する移動通信端末による通信を中継するパケット交換サーバ装置と、所定の付加情報を配信または取得する付加サービスサーバ装置とを含み、
前記パケット交換サーバ装置は、
自装置に至る通信路及び自装置で発生した所定の異常を検出する異常検出手段と、
前記異常検出手段によって前記所定の異常が検出された場合に、前記移動通信端末と自装置との呼を解放する解放手段と、
前記異常検出手段によって前記所定の異常が検出されたときに自装置に接続していた前記移動通信端末を特定するための移動通信端末識別情報と、自装置を特定するためのパケット交換サーバ装置識別情報と、前記移動通信端末と自装置との呼が解放された旨及び該解放された旨の通知が遅延する可能性がある旨を示す遅延切断情報とを含む呼状態通知を、前記付加サービスサーバ装置に送信する送信手段と
を有し、
前記付加サービスサーバ装置は、
移動通信端末を特定するための移動通信端末識別情報と、該移動通信端末が呼接続しているパケット交換サーバ装置を特定するためのパケット交換サーバ装置識別情報と、該移動通信端末と該パケット交換サーバ装置との呼の状態に関し、接続状態又は切断状態のいずれかを特定するための呼情報とが対応付けて格納される格納手段と、
パケット交換サーバ装置によって前記所定の異常が検出されたときに、該パケット交換サーバ装置によって送信される呼状態通知を受信する受信手段と、
前記受信手段によって受信された前記呼状態通知に含まれる前記移動通信端末識別情報に対応付けて前記格納手段に格納されているパケット交換サーバ装置識別情報と、前記呼状態通知に含まれるパケット交換サーバ装置識別情報とが同一の場合に、該移動通信端末識別情報に対応付けて前記格納手段に格納されている呼情報を切断状態に書き換え、前記呼状態通知に含まれる前記移動通信端末識別情報に対応付けて前記格納手段に格納されているパケット交換サーバ装置識別情報と、前記呼状態通知に含まれるパケット交換サーバ装置識別情報とが異なる場合に、該移動通信端末識別情報に対応付けて前記格納手段に格納されている呼情報を維持する更新手段と
を有する
パケット通信システム。
【請求項５】
移動通信網とパケット通信網との間に介在し、前記移動通信網に接続する移動通信端末による通信を中継するパケット交換サーバ装置の異常検出手段が、自装置に至る通信路及び自装置で発生した所定の異常を検出する異常検出ステップと、
前記パケット交換サーバ装置の解放手段が、前記異常検出手段によって前記所定の異常が検出された場合に、前記移動通信端末と自装置との呼を解放する解放ステップと、
前記パケット交換サーバ装置の送信手段が、前記記異常検出手段によって前記所定の異常が検出されたときに自装置に接続していた前記移動通信端末を特定するための移動通信端末識別情報と、自装置を特定するためのパケット交換サーバ装置識別情報と、前記移動通信端末と自装置との呼が解放された旨及び該解放された旨の通知が遅延する可能性がある旨を示す遅延切断情報とを含む呼状態通知を、所定の付加情報を配信または取得する付加サービスサーバ装置に送信する送信手段と、
前記付加サービスサーバ装置の受信手段が、前記パケット交換サーバ装置によって送信される前記呼状態通知を受信する受信ステップと、
前記付加サービスサーバ装置の更新手段が、前記受信手段によって受信された前記呼状態通知に含まれる前記移動通信端末識別情報に対応付けて該付加サービスサーバ装置の格納手段に格納されているパケット交換サーバ装置識別情報と、前記呼状態通知に含まれるパケット交換サーバ装置識別情報とが同一の場合に、該移動通信端末と該パケット交換サーバ装置との呼の状態に関し、接続状態又は切断状態のいずれかを特定するための情報であり該移動通信端末識別情報に対応付けて前記格納手段に格納されている呼情報を切断状態に書き換え、前記呼状態通知に含まれる前記移動通信端末識別情報に対応付けて前記格納手段に格納されているパケット交換サーバ装置識別情報と、前記呼状態通知に含まれるパケット交換サーバ装置識別情報とが異なる場合に、該移動通信端末識別情報に対応付けて前記格納手段に格納されている呼情報を維持する更新ステップと
を備えるパケット通信方法。
【発明の詳細な説明】
【０００１】
【発明の属する技術分野】
本発明はパケット交換サーバ装置、付加サービスサーバ装置、上記パケット交換サーバ装置と上記付加サービスサーバ装置とを含むパケット通信システム、及びパケット通信方法に関するものである。
【０００２】
【従来の技術】
移動通信網とパケット通信網との間に介在し、移動通信網に接続している移動通信端末による通信を中継するパケット交換サーバ装置と、パケット通信網を介して上記パケット交換サーバ装置に接続され、所定の付加情報を配信または取得する付加サービスサーバ装置とを備える通信システムがある。この通信システムでは、パケット交換サーバ装置が、移動通信端末を特定するための電話番号といった移動通信端末識別情報と、移動通信端末と自装置との呼の状態に関し、接続状態または切断状態を特定するための呼情報とを含む呼状態通知を、付加サービスサーバ装置に送信する。付加サービスサーバ装置は、パケット交換サーバ装置によって送信された呼状態通知に含まれる移動通信端末識別情報と、呼情報とを対応付けて格納し、格納したこれらの情報に基づいて移動通信端末に上記の所定の付加情報を配信または取得している（例えば、特許文献１）。
【０００３】
【特許文献１】
特開２００１−１４８８８４号公報
【０００４】
【発明が解決しようとする課題】
上述した従来の通信システムでは、パケット交換サーバ装置に至る通信路やパケット交換サーバ装置に異常が発生した場合に、パケット交換サーバ装置は移動通信端末との呼を強制的に解放し、呼を解放した移動通信端末の移動通信端末識別情報と、切断状態を示す呼情報とを含む呼状態通知を付加サービスサーバ装置に送信する。一方、呼が解放された移動通信端末が、他のパケット交換サーバ装置に呼接続して通信を再開すると、そのパケット交換サーバ装置から、呼接続している移動通信端末の移動通信端末識別情報と、接続状態を示す呼情報とを含む呼状態通知が、付加サービスサーバ装置に送信される。そして、付加サービスサーバ装置は、上記の他のパケット交換サーバ装置によって送信された移動通信端末識別情報に対応付けて呼情報を格納する。
【０００５】
ところで、上記のように異常が発生した時点において、多数の移動通信端末がパケット交換サーバ装置に接続している場合には、切断状態を示す呼情報が含まれている呼状態通知が付加サービスサーバに多数送信される。このような状態において、移動通信端末が他のパケット交換サーバ装置との呼接続を再開すると、そのパケット交換サーバ装置によって送信される呼状態通知より、切断状態を示す呼情報が含まれている上記の呼状態通知が遅延して到着し、付加サービスサーバ装置に登録されている呼情報が誤って書き換えられる場合がある。
【０００６】
そこで本発明は、付加サービスサーバ装置に呼情報の誤った更新を発生させないためのパケット交換サーバ装置と、呼情報を誤りなく更新可能な付加サービスサーバ装置と、上記パケット交換サーバ装置と上記付加サービスサーバ装置とを備えるパケット通信システムと、及びこのパケット通信システムに適用されるパケット通信方法とを提供することを目的としている。
【０００７】
【課題を解決するための手段】
上記目的を達成するために、本発明のパケット交換サーバ装置は、移動通信網とパケット通信網との間に介在し、上記移動通信網に接続する移動通信端末による通信を中継するパケット交換サーバ装置であって、自装置に至る通信路及び自装置で発生した所定の異常を検出する異常検出手段と、上記異常検出手段によって上記所定の異常が検出された場合に、上記移動通信端末と自装置との呼を解放する解放手段と、上記異常検出手段によって上記所定の異常が検出されたときに自装置に接続していた上記移動通信端末を特定するための移動通信端末識別情報と、自装置を特定するためのパケット交換サーバ装置識別情報と、上記移動通信端末と自装置との呼が解放された旨及び該解放された旨の通知が遅延する可能性がある旨を示す遅延切断情報とを含む呼状態通知を、所定の付加情報を配信または取得する付加サービスサーバ装置に送信する送信手段とを備える。
【０００８】
また、本発明の別の面における付加サービスサーバ装置は、移動通信端末を特定するための移動通信端末識別情報と、該移動通信端末が呼接続しているパケット交換サーバ装置を特定するためのパケット交換サーバ装置識別情報と、該移動通信端末と該パケット交換サーバ装置との呼の状態に関し、接続状態又は切断状態を示す呼情報とが対応付けて格納される格納手段と、パケット交換サーバ装置によって所定の異常が検出されたときに、該パケット交換サーバ装置に接続していた移動通信端末を特定するための移動通信端末識別情報と、該パケット交換サーバ装置を特定するためのパケット交換サーバ装置識別情報と、該移動通信端末と該パケット交換サーバ装置との呼が解放された旨及び該解放された旨の通知が遅延する可能性がある旨を示す遅延切断情報とを含み、該パケット交換サーバ装置によって送信される呼状態通知を受信する受信手段と、上記受信手段によって受信された上記呼状態通知に含まれる上記移動通信端末識別情報に対応付けて上記格納手段に格納されているパケット交換サーバ装置識別情報と、上記呼状態通知に含まれるパケット交換サーバ装置識別情報とが同一の場合に、該移動通信端末識別情報に対応付けて上記格納手段に格納されている呼情報を切断状態に書き換え、上記呼状態通知に含まれる上記移動通信端末識別情報に対応付けて上記格納手段に格納されているパケット交換サーバ装置識別情報と、上記呼状態通知に含まれるパケット交換サーバ装置識別情報とが異なる場合に、該移動通信端末識別情報に対応付けて上記格納手段に格納されている呼情報を維持する更新手段とを備える。
【０００９】
また、本発明の別の面におけるパケット通信システムは、移動通信網とパケット通信網との間に介在し、移動通信網に接続する移動通信端末による通信を中継するパケット交換サーバ装置と、所定の付加情報を配信または取得する付加サービスサーバ装置とを含み、上記パケット交換サーバ装置は、自装置に至る通信路及び自装置で発生した所定の異常を検出する異常検出手段と、上記異常検出手段によって上記所定の異常が検出された場合に、上記移動通信端末と自装置との呼を解放する解放手段と、上記異常検出手段によって上記所定の異常が検出されたときに自装置に接続していた上記移動通信端末を特定するための移動通信端末識別情報と、自装置を特定するためのパケット交換サーバ装置識別情報と、上記移動通信端末と自装置との呼が解放された旨及び該解放された旨の通知が遅延する可能性がある旨を示す遅延切断情報とを含む呼状態通知を、上記付加サービスサーバ装置に送信する送信手段とを有し、上記付加サービスサーバ装置は、移動通信端末を特定するための移動通信端末識別情報と、該移動通信端末が呼接続しているパケット交換サーバ装置を特定するためのパケット交換サーバ装置識別情報と、該移動通信端末と該パケット交換サーバ装置との呼の状態に関し、接続状態又は切断状態のいずれかを特定するための呼情報とが対応付けて格納される格納手段と、パケット交換サーバ装置によって上記所定の異常が検出されたときに、該パケット交換サーバ装置によって送信される呼状態通知を受信する受信手段と、上記受信手段によって受信された上記呼状態通知に含まれる上記移動通信端末識別情報に対応付けて上記格納手段に格納されているパケット交換サーバ装置識別情報と、上記呼状態通知に含まれるパケット交換サーバ装置識別情報とが同一の場合に、該移動通信端末識別情報に対応付けて上記格納手段に格納されている呼情報を切断状態に書き換え、上記呼状態通知に含まれる上記移動通信端末識別情報に対応付けて上記格納手段に格納されているパケット交換サーバ装置識別情報と、上記呼状態通知に含まれるパケット交換サーバ装置識別情報とが異なる場合に、該移動通信端末識別情報に対応付けて上記格納手段に格納されている呼情報を維持する更新手段とを有する。
【００１０】
また、本発明の別の面におけるパケット通信方法は、移動通信網とパケット通信網との間に介在し、上記移動通信網に接続する移動通信端末による通信を中継するパケット交換サーバ装置の異常検出手段が、自装置に至る通信路及び自装置で発生した所定の異常を検出する異常検出ステップと、上記パケット交換サーバ装置の解放手段が、上記異常検出手段によって上記所定の異常が検出された場合に、上記移動通信端末と自装置との呼を解放する解放ステップと、上記パケット交換サーバ装置の送信手段が、上記記異常検出手段によって上記所定の異常が検出されたときに自装置に接続していた上記移動通信端末を特定するための移動通信端末識別情報と、自装置を特定するためのパケット交換サーバ装置識別情報と、上記移動通信端末と自装置との呼が解放された旨及び該解放された旨の通知が遅延する可能性がある旨を示す遅延切断情報とを含む呼状態通知を、所定の付加情報を配信または取得する付加サービスサーバ装置に送信する送信手段と、上記付加サービスサーバ装置の受信手段が、上記パケット交換サーバ装置によって送信される上記呼状態通知を受信する受信ステップと、上記付加サービスサーバ装置の更新手段が、上記受信手段によって受信された上記呼状態通知に含まれる上記移動通信端末識別情報に対応付けて該付加サービスサーバ装置の格納手段に格納されているパケット交換サーバ装置識別情報と、上記呼状態通知に含まれるパケット交換サーバ装置識別情報とが同一の場合に、該移動通信端末と該パケット交換サーバ装置との呼の状態に関し、接続状態又は切断状態のいずれかを特定するための情報であり該移動通信端末識別情報に対応付けて上記格納手段に格納されている呼情報を切断状態に書き換え、上記呼状態通知に含まれる上記移動通信端末識別情報に対応付けて上記格納手段に格納されているパケット交換サーバ装置識別情報と、上記呼状態通知に含まれるパケット交換サーバ装置識別情報とが異なる場合に、該移動通信端末識別情報に対応付けて上記格納手段に格納されている呼情報を維持する更新ステップとを備える。
【００１１】
これらの発明によれば、パケット交換サーバ装置は、所定の異常を検出した場合に、その時点で自装置に接続していた移動通信端末を特定するための移動通信端末識別情報と、自装置を特定するためのパケット交換サーバ装置識別情報と、遅延切断情報とを含む呼状態通知を送信するので、付加サービスサーバ装置に、パケット交換サーバ装置と移動通信端末の呼が、解放された旨、及びその通知が遅延する可能性がある旨を知らせることができる。付加サービスサーバ装置は、この呼状態通知に含まれる移動通信端末識別情報に対応付けて格納しているパケット交換サーバ装置識別情報と、呼状態通知に含まれるパケット交換サーバ装置識別情報とが同一の場合にのみ、その移動通信端末識別情報に対応付けられている呼情報を切断状態に書き換える。したがって、上記の所定の異常が発生した場合に、移動通信端末が他のパケット交換サーバ装置との呼接続を再開し、遅延切断情報を含む呼状態通知が遅延しても、呼情報の誤った書き換えが回避される。
【００１２】
また、本発明にかかるパケット交換サーバ装置においては、上記送信手段は、上記異常検出手段によって上記所定の異常が検出されたときに、上記呼状態通知の単位時間あたりの送信数を所定数以下に制御することが好ましい。
【００１３】
この発明によれば、単位時間内の呼状態通知の送信数が所定数以下に制御されるので、上記の所定の異常が検出された場合に多数の呼状態通知が一斉に送信されることがなく、通信網に輻輳が生じる事態を回避することができる。
【００１４】
【発明の実施の形態】
以下、図面とともに本発明の好適な実施形態について詳細に説明する。なお、図面において同一又は相当の部分には同一符号を付すこととする。図１は、本発明の実施形態にかかるパケット通信システム１０の構成を示す図である。
【００１５】
パケット通信システム１０は、複数の移動通信端末（以下、「ＭＳ」という）１２、移動通信用交換機（以下、「ＧＭＭＳ」という）１６、パケット交換サーバ装置（以下、「ＷＰＣＧ」という）ＷＰＣＧ２０ａ〜２０ｎ、コンテンツ提供者によって提供されるコンテンツサーバ（以下、「ＩＳＰ」という）２８、及び付加サービスサーバ装置（以下、「ＳＡＳ」という）３０を備える。
【００１６】
ＭＳ１２は、移動通信網１４を介してＷＰＣＧ２０ａ〜２０ｎのいずれかに呼接続することによって、パケット通信を行う。ＭＳ１２は、ユーザによって携帯される情報携帯端末であり、ＭＳ１２には、携帯電話やＰＤＡ等の情報通信が可能な機器が広く適用されうる。
【００１７】
ＧＭＭＳ１６は、移動通信網１４の終端に設けられた交換機である。ＧＭＭＳ１６は、ＭＳ１２から送信されるパケットあるいはパケット通信網１８からＭＳ１２宛に送信されるパケットを中継する。
【００１８】
ＷＰＣＧ２０ａ〜２０ｎは、パケット通信網１８と移動通信網１４との間に介在するゲートウェイであり、パケット通信網１８の終端に設けられている。ＷＰＣＧ２０ａ〜２０ｎは、ＭＳ１２の通信を中継する。ＭＳ１２は、ＷＰＣＧ２０ａ〜２０ｎのいずれかに呼接続することにより、パケット通信網１８に接続されている機器とのパケット通信を行うことができる。なお、ＭＳ１２が、ＷＰＣＧ２０ａ〜２０ｎのいずれと呼接続するかは、ＧＭＭＳ１６によって決定される。
【００１９】
以下、ＷＰＣＧ２０ａ〜２０ｎの構成について詳細に説明する。なお、ＷＰＣＧ２０ａ〜２０ｎは同様の構成を有するので、ここではＷＰＣＧ２０ａについて説明する。ＷＰＣＧ２０ａは、異常検出部（異常検出手段）２２と、呼制御部（解放手段）２４と、及び送信部（送信手段）２６とを備える。
【００２０】
異常検出部２２は、所定の異常を検出する部分である。所定の異常とは、ＷＰＣＧ２０ａに至る通信路での異常、及びＷＰＣＧ２０ａすなわち自装置で発生した異常である。
【００２１】
上記の所定の異常を検出するために、ＷＰＣＧ２０ａは、ＧＭＭＳ１６及びＩＳＰ２８との間で定期的にヘルスチェック信号を送信しあっている。異常検出部２２は、ＧＭＭＳ１６またはＩＳＰ２８からのヘルスチェック信号が所定回数受信されなかった状態を所定の異常として検出する。
【００２２】
また、ＩＳＰ２８によってＴＣＰパスが切断された状態、ＷＰＣＧ２０ａを初期状態にするためにＧＭＭＳ１６またはＩＳＰ２８から送信される初期設定信号を受信した状態を、異常検出部２２は所定の異常として検出する。また、ＷＰＣＧ２０ａには、メモリに格納されているデータやアプリケーションの動作に異常が生じた場合に、その一部または全部を再起動する機能が備えられており、異常検出部２２は、この再起動が生じた状態も所定の異常として検出する。また、異常検出部２２は、オペレータによってアプリケーションの再起動コマンドが投入されたアプリケーションが再起動された状態、及びオペレータによってこの強制解放コマンドが投入された状態を、所定の異常として検出する。
【００２３】
呼制御部２４は、ＭＳ１２との呼接続、呼の解放、呼の強制解放といった呼制御を行う。呼制御部２４は、異常検出部２２によって上記の所定の異常が検出された場合に、異常検出時に自装置に接続していたＭＳ１２との呼を強制的に解放する。
【００２４】
送信部２６は、呼状態通知をＳＡＳ３０に送信する。呼状態通知は、呼制御部２４によって呼接続が開始された場合、ＭＳ１２との呼が解放された場合、異常検出部２２によって所定の異常が検出されＭＳ１２との呼が強制的に解放された場合に送信される。以下、呼状態通知について、更に詳細に説明する。図２（ａ）は、呼接続の開始時に送信される呼状態通知の例を示す図である。図２（ｂ）は、呼の解放時に送信される呼状態通知の例を示す図である。また、図２（ｃ）は、呼の強制解放時に送信される呼状態通知の例である。
【００２５】
呼接続の開始時に送信部２６によって送信される呼状態通知には、ＭＳ１２を特定するための移動通信端末識別情報、自装置を特定するためのパケット交換サーバ装置識別情報、及び、接続状態とされた呼情報が含まれている。例えば、図２（ａ）に示す呼状態通知には、ＭＳ１２の移動通信端末識別情報「８１９０―１２３４―５６７８」、パケット交換サーバ装置識別情報としてパケット交換サーバ装置２０ａを特定するための「ＷＰＣＧ−Ａ」、接続状態とされた呼情報とが含まれている。
【００２６】
また、呼の解放時に送信部２６によって送信される呼状態通知、すなわち、異常検出部２２によって所定の異常が検出された場合を除く、通常の解放時には、ＭＳ１２を特定するための移動通信端末識別情報、自装置を特定するためのパケット交換サーバ装置識別情報、及び、切断状態とされた呼情報が含まれている。例えば、図２（ｂ）に示す呼状態通知には、ＭＳ１２の移動通信端末識別情報「８１９０―１２３４―５６７８」、切断状態とされた呼情報とが含まれている。また、上記の呼の強制解放時に送信部２６によって送信される呼状態通知、すなわち、異常検出部２２によって所定の異常が検出された場合に送信される呼状態通知には、ＭＳ１２を特定するための移動通信端末識別情報、自装置を特定するためのパケット交換サーバ装置識別情報、及び、遅延切断情報が含まれている。ここで、遅延切断情報とは、呼が解放された旨及び呼が解放された旨の通知が遅延する可能性がある旨を示す情報である。例えば、図２（ｃ）に示す呼状態通知には、ＭＳ１２の移動通信端末識別情報「８１９０―１２３４―５６７８」、パケット交換サーバ装置識別情報としてパケット交換サーバ装置２０ａを特定するための「ＷＰＣＧ−Ａ」、遅延切断情報が含まれている。
【００２７】
送信部２６は、遅延切断情報を含む呼状態通知を送信する場合には、かかる呼状態通知の単位時間あたりの送信数を所定数以下に制御する。すなわち、呼の強制解放時には、呼状態通知を送信する必要があるため、自装置からＳＡＳ３０への通信路における輻輳を回避するために、送信部２６はかかる制御を行う。したがって、上記の所定数は通信路における輻輳を回避するために予め調整された数値が用いられる。
【００２８】
ＩＳＰ２８は、ＭＳ１２にメール等のコンテンツを提供するサーバ装置である。ＳＡＳ３０は、ＩＳＰ２８のコンテンツの提供に関わる所定の付加情報をＭＳ１２に配信し、または、ＭＳ１２から取得するサーバ装置である。例えば、ＩＳＰ２８がメールサーバである場合に、ＳＡＳ３０はＩＳＰ２８へのメールの着信を監視し、所定の付加情報として着信通知をＭＳ１２に送信する。また、ＩＳＰ２８が位置情報に関連するコンテンツをＭＳ１２に提供する場合には、ＳＡＳ３０は、ＭＳ１２に位置情報の取得要求を送信し、ＭＳ１２の位置情報を所定の付加情報として取得する。
【００２９】
ＳＡＳ３０は、機能的には、受信部（受信手段）３２、格納部（格納手段）３４、及び更新部（更新手段）３６を備えている。受信部３２は、ＷＰＣＧ２０ａ〜２０ｎによって送信される呼状態通知を受信する。受信部３２は、受信された呼状態通知を更新部３６に出力する。
【００３０】
更新部３６は、受信部３２によって出力された呼状態通知を参照して、格納部３４に格納された以下の情報を更新する。格納部３４には、ＭＳ１２を特定するための移動通信端末識別情報に対応付けて、ＷＰＣＧ２０ａ〜２０ｎを特定するためのパケット交換サーバ装置識別情報と、呼情報とが格納されている。
【００３１】
以下、更新部３６の機能と共に、格納部３４に格納される情報について、詳細に説明する。図３（ａ）及び図３（ｂ）は、格納部３４に格納された情報の一例を示す図である。例えば、移動通信端末識別情報が「８１９０―１２３４―５６７８」、パケット交換サーバ装置識別情報が「ＷＰＣＧ−Ａ」、呼情報が「接続状態」の呼状態通知が更新部３６に出力されると、格納部３４には「８１９０―１２３４―５６７８」とされた移動通信端末識別情報に対応付けて、「ＷＰＣＧ−Ａ」とされたパケット交換サーバ装置識別情報、「接続状態」とされた呼情報が更新部３６によって格納される。
【００３２】
また、移動通信端末識別情報が「８１９０―９９９９―９９９９」、パケット交換サーバ装置識別情報が「ＷＰＣＧ−Ｂ」（以下、本明細書では、ＷＰＣＧ−Ｂは、ＷＰＣＧ２０ｂのパケット交換サーバ装置識別情報を示すものとする）、呼情報が「切断状態」の呼状態通知が更新部３６に出力されると、格納部３４には「８１９０―９９９９―９９９９」とされた移動通信端末識別情報、「切断状態」とされた呼情報が更新部３６によって格納される。
【００３３】
更新部３６は、出力された呼状態通知に遅延切断情報が含まれる場合には、この呼状態通知に含まれる移動通信端末識別情報と同一の移動通信端末識別情報に対応付けられているパケット交換サーバ装置識別情報を格納部３４から抽出する。更新部３６は、格納部３４から抽出したパケット交換サーバ装置識別情報と、呼状態通知に含まれているパケット交換サーバ装置識別情報とが同一の場合には、上記の移動通信端末識別情報に対応付けて格納部３４に格納されている呼情報を「切断状態」に書き換える。
【００３４】
一方、更新部３６は、格納部３４から抽出したパケット交換サーバ装置識別情報と、呼状態通知に含まれているパケット交換サーバ装置識別情報とが異なる場合には、格納部３４から抽出された呼情報の呼情報を維持する。この場合には、出力された呼状態通知は破棄される。例えば、格納部３４に図３（ａ）のように呼情報が格納されているときに、「８１９０―１２３４―５６７８」とされた移動通信端末識別情報、「ＷＰＣＧ−Ａ」とされたパケット交換サーバ装置識別情報、遅延切断情報が含まれる呼状態通知が出力された場合に、更新部３６は、呼状態通知に含まれる移動通信端末識別情報「８１９０―１２３４―５６７８」に対応付け、格納部３４に格納されているパケット交換サーバ装置識別情報「ＷＰＣＧ−Ａ」を抽出する。抽出したパケット交換サーバ装置識別情報「ＷＰＣＧ−Ａ」は、呼状態通知に含まれるパケット交換サーバ装置識別情報「ＷＰＣＧ−Ａ」と同一であるので、更新部３６は、移動通信端末識別情報「８１９０―１２３４―５６７８」に対応付けて格納部３４に格納されている呼情報を図３（ｂ）に示すように「切断状態」に書き換える。
【００３５】
一方、格納部３４から抽出したパケット交換サーバ装置識別情報が「ＷＰＣＧ−Ｂ」であった場合には、遅延切断通知に含まれるパケット交換サーバ装置識別情報「ＷＰＣＧ−Ａ」と異なるので、更新部３６は、格納部３４に格納された呼情報を「接続状態」のまま維持する。
【００３６】
以下、パケット通信システム１０の動作について説明し、併せて本発明の実施形態にかかるパケット通信方法について説明する。図４は、本実施形態にかかるパケット通信方法のフローチャートであり、ＭＳ１２とＷＰＣＧ２０ａとが呼接続を行う処理を示す。図４に示すように、ＭＳ１２とＷＰＣＧ２０ａとの間で呼接続が開始された場合（ステップＳ０１）、ＷＰＣＧ２０ａは、ＭＳ１２の移動通信端末識別情報、自装置のパケット交換サーバ装置識別情報、「接続状態」とされた呼情報を含む呼状態通知をＳＡＳ３０に送信する（ステップＳ０２）。ＳＡＳ３０では、送信された呼状態通知を参照して、上述したように、更新部３６が格納部３４に格納された情報を更新する（ステップＳ０３）。
【００３７】
図５は、本実施形態にかかるパケット通信方法のフローチャートであり、ＭＳ１２とＷＰＣＧ２０ａとが呼を解放する処理を示す。図５に示すように、ＭＳ１２とＷＰＣＧ２０ａとの間で呼が解放された場合（ステップＳ１１）、ＷＰＣＧ２０ａは、ＭＳ１２の移動通信端末識別情報、自装置のパケット交換サーバ装置識別情報、「切断状態」とされた呼情報を含む呼状態通知をＳＡＳ３０に送信する（ステップＳ１２）。ＳＡＳ３０では、送信された呼状態通知を参照して、上述したように、更新部３６が格納部３４に格納された情報を更新する（ステップＳ１３）。
【００３８】
図６は、本発明の実施形態にかかるパケット通信方法のフローチャートであり、パケット交換サーバによって所定の異常が検出された場合の処理を示す。ここでは、複数のＭＳ１２がＷＰＣＧ２０ａに呼接続しているときに、ＷＰＣＧ２０ａが所定の異常を検出してＭＳ１２との呼を強制的に解放すると共に呼状態通知をＳＡＳ３０に送信し、ＭＳ１２がＷＰＣＧ２０ｂを介して呼接続する場合について説明する。
【００３９】
図６に示すように、複数のＭＳ１２とＷＰＣＧ２０ａが呼接続している（ステップＳ３１）状態において、異常検出部２２によって所定の異常が検出される（ステップＳ３２）。呼制御部２４は、複数のＭＳ１２それぞれとの呼を強制的に解放する（ステップＳ３３）。また、送信部２６は、自装置に接続していた複数のＭＳ１２それぞれについて、移動通信端末識別情報と、自装置を特定するためのパケット交換サーバ装置識別情報「ＷＰＣＧ−Ａ」と、遅延切断情報を含む呼状態通知をＳＡＳ３０に送信する（ステップＳ３４）。
【００４０】
ＳＡＳ３０の更新部３６は、上述したように呼状態通知に含まれる移動通信端末識別情報に対応付けて格納部３４に格納されたパケット交換サーバ装置識別情報を抽出し、抽出したパケット交換サーバ装置識別情報と呼状態通知に含まれるパケット交換サーバ装置識別情報が同一である場合に、上記の移動通信端末識別情報に対応付けて格納部３４に格納されている呼情報を「切断状態」に書き換える。一方、抽出したパケット交換サーバ装置識別情報と呼状態通知に含まれるパケット交換サーバ装置識別情報が異なる場合には、上記の移動通信端末識別情報に対応付けて格納部３４に格納されている呼情報をそのまま維持する。ここでは、ＭＳ１２の再度の呼接続（ステップＳ３６）より以前にステップＳ３４の呼状態通知が行われているので、呼状態通知に含まれる移動通信端末識別情報に対応付けて格納部３４に格納されたパケット交換サーバ装置識別情報と、呼状態通知に含まれるパケット交換サーバ装置識別情報とは、共に「ＷＰＣＧ−Ａ」であるので、上記の移動通信端末識別情報に対応付けられ格納部３４に格納された呼情報は「切断状態」に更新される（ステップＳ３５）。
【００４１】
一方、上述したように、ＭＳ１２がＷＰＣＧ２０ｂとの呼接続を開始すると（ステップＳ３６）、ＭＳ１２を特定する移動通信端末識別情報、ＷＰＣＧ２０ｂを特定するためのパケット交換サーバ装置識別情報「ＷＰＣＧ−Ｂ」、「接続状態」とされた呼情報とを含む呼状態通知がＷＰＣＧ２０ｂからＳＡＳ３０に送信され（ステップＳ３７）。ＳＡＳ３０の更新部３６は、格納部３４に、ＭＳ１２を特定する移動通信端末識別情報に対応付けて、ＷＰＣＧ２０ｂを特定するためのパケット交換サーバ装置識別情報「ＷＰＣＧ−Ｂ」、「接続状態」とされた呼情報を格納する（ステップＳ３８）。
【００４２】
ここで、ＷＰＣＧ２０ａの送信部２６は、遅延切断情報を含む呼状態通知の単位時間あたりの送信数を制御している。したがって、ＷＰＣＧ２０ｂと呼接続を開始したＭＳ１２についての遅延切断情報を含む呼状態通知は、ＷＰＣＧ２０ａから遅延して送信される可能性がある。このシーケンスにおいては、ステップＳ３７のＷＰＣＧ２０ｂからの呼状態通知よりも、ＷＰＣＧ２０ａからの遅延切断情報を含む呼状態通知が遅延して到着するものとする（ステップＳ３９）。ステップ３９において、呼状態通知が到着すると、更新部３６は、その呼状態通知に含まれる移動通信端末情報に対応付けて格納部３４に格納されているパケット交換サーバ装置識別情報「ＷＰＣＧ−Ｂ」を抽出し、遅延切断情報に含まれるパケット交換サーバ装置識別情報「ＷＰＣＧ−Ａ」と、抽出したパケット交換サーバ装置識別情報「ＷＰＣＧ−Ｂ」とが異なると判断し、格納部３４に格納されている呼情報をそのまま維持する（ステップＳ４０）。
【００４３】
以下、本実施形態にかかるパケット通信システム１０及びパケット通信方法の作用及び効果について説明する。ＷＰＣＧ２０ａ〜２０ｎは、所定の異常を検出した場合に、その時点で自装置に接続していたＭＳ１２を特定するための移動通信端末識別情報と、自装置を特定するためのパケット交換サーバ装置識別情報と、遅延切断情報とを含む呼状態通知を送信するので、ＳＡＳ３０に、自装置とＭＳ１２との呼が解放された旨、及びその通知が遅延する可能性がある旨を知らせることができる。
【００４４】
ＳＡＳ３０は、遅延切断情報を含む呼状態通知を受信すると、その呼状態通知に含まれている移動通信端末識別情報に対応付けて格納部３４に格納されているパケット交換サーバ装置識別情報と、呼状態通知に含まれるパケット交換サーバ装置識別情報とが同一の場合にのみ、その移動通信端末識別情報に対応付けられている呼情報を「切断状態」に書き換える。したがって、上記の所定の異常が発生した場合に、ＭＳ１２が他のパケット交換サーバ装置との呼接続を再開し、遅延切断情報を含む呼状態通知が遅延しても、呼情報の誤った書き換えが回避される。
【００４５】
また、ＷＰＣＧ２０ａ〜２０ｎの送信部２６は、異常検出時に、単位時間内の呼状態通知の送信数を所定数以下に制御するので、多数の呼状態通知が一斉に送信されることがなく、通信網に輻輳が生じる事態を回避することができる。
【００４６】
【発明の効果】
以上説明したように、本発明によれば、付加サービスサーバ装置に呼情報の誤った更新を発生させないためのパケット交換サーバ装置と、呼情報を誤りなく更新可能な付加サービスサーバ装置と、上記パケット交換サーバ装置と上記付加サービスサーバ装置とを備えるパケット通信システムと、及びこのパケット通信システムに適用されるパケット通信方法とが提供される。
【図面の簡単な説明】
【図１】図１は、本発明の実施形態にかかるパケット通信システムの構成を示す図である。
【図２】図２（ａ）は、呼接続の開始時に送信される呼状態通知の例を示す図である。
図２（ｂ）は、呼の解放時に送信される呼状態通知の例を示す図である。
図２（ｃ）は、呼の強制解放時に送信される呼状態通知の例である。
【図３】図３（ａ）及び図３（ｂ）は、格納部３４に格納された情報の一例を示す図である。
【図４】図４は、本発明の実施形態にかかるパケット通信方法のフローチャートであり、移動通信端末とパケット交換サーバとが呼接続を行う処理を示す。
【図５】図５は、本発明の実施形態にかかるパケット通信方法のフローチャートであり、移動通信端末とパケット交換サーバとが呼を解放する処理を示す。
【図６】図６は、本発明の実施形態にかかるパケット通信方法のフローチャートであり、パケット交換サーバによって所定の異常が検出された場合の処理を示す。
【符号の説明】
１０・・・パケット通信システム、１２・・・移動通信端末、１４・・・移動通信網、１６・・・移動通信用交換機、１８…パケット交換網、２０ａ〜２０ｎ・・・パケット交換サーバ装置、２２・・・異常検出部、２４・・・呼制御部、２６・・・送信部、２８・・・コンテンツサーバ、３０・・・付加サービスサーバ装置、３２・・・受信部、３４・・・格納部、３６・・・更新部。
【図１】
2005026838.tif 000003
【図２】
2005026838.tif 000004
【図３】
2005026838.tif 000005
【図４】
2005026838.tif 000006
【図５】
2005026838.tif 000007
【図６】
2005026838.tif 000008